(57)【特許請求の範囲】
【請求項１】
圧縮機、四方弁、室外熱交換器、および複数の室外絞り装置を備えた室外機に、複数台の室内機を接続してなり、前記各室内機の熱交換器が第一熱交換器と第二熱交換器に分割されており、これら第一熱交換器と第二熱交換器との間に除湿絞り機構を備え、除湿運転時に該除湿絞り機構を絞ることによって第一熱交換器を凝縮器、第二熱交換器を蒸発器とし、それぞれ加熱部分と冷却除湿部分として作用させて除湿を行う多室形空気調和機の運転方法において、
前記四方弁と前記室外熱交換器との間の配管と、前記室外熱交換器から前記複数台の室内機へ接続する液側配管とを結ぶバイパス管を前記室内機の接続台数分設け、前記複数台の室内機に対応する複数のバイパス管にそれぞれ開閉可能な絞り装置を直列に接続したものとして、
前記複数台の室内機のいずれかの室内機が室温を上げながら除湿を行う暖房ぎみ除湿運転を行う場合は、圧縮機から出た高温の冷媒を当該室内機に対応するバイパス管を通して当該室内機の第一室内熱交換器へ流すと共に前記室外熱交換器を通して当該室内機の第一熱交換器に流さないようにし、
また、いずれかの室内機が室温を下げながら除湿を行う冷房ぎみ除湿運転を行う場合は、当該室内機に対応するバイパス管には冷媒を流さないと共に前記室外熱交換器を通して当該室内機の第一熱交換器に流すようにしたことを特徴とする多室形空気調和機の運転方法。
【発明の詳細な説明】
【０００１】
【発明の属する技術分野】
本発明は、多室形空気調和機の運転方法に係り、特に、冷房ぎみから暖房ぎみにわたる広い温度範囲で除湿運転が可能であり、各室内機ごとに除湿運転や、冷房運転を使い分けることが可能な多室形空気調和機の運転方法に関するものである。
【０００２】
【従来の技術】
従来の空気調和機としては、室内機に除湿用の絞り機構を設け、除湿運転時には室内熱交換器を除湿部分と加熱部分に分割して作用させ、除湿した空気を肌寒くない温度まで上げてから利用する方式のものが開発されており、例えば、特開平７−１３９８４８号公報に記載のものが知られている。
【０００３】
多室形空気調和機においても同様の機能を備えたものが求められており、この種の空気調和機の例として、例えば、特開平５−２７２８４３号公報、あるいは特開平７−３２４８４２号公報に記載のものが挙げられる。
このうち、特開平５−２７２８４３号公報記載の多室形空気調和機に関して、図２を参照して説明する。
図２は、従来の多室形空気調和機の冷凍サイクル系統図である。
【０００４】
図２に示す多室形空気調和機は、圧縮機１、四方弁２、室外熱交換器３、および複数（図２では２個）の室外絞り装置４ａ，４ｂを備えた室外機１３Ａに、複数台（図２では２台）の室内機７ａ，７ｂを接続してなるものである。
室外絞り装置４ａに接続された室内機７ａは、室内熱交換器８ａ，９ａとその中間に設けられた除湿絞り装置１０ａで構成され、同様に室外絞り装置４ｂに接続された室内機７ｂは室内熱交換器８ｂ，９ｂとその中間に設けられた除湿絞り装置１０ｂで構成されている。
【０００５】
冷房時の運転を、室内機７ａの在る室が冷房するものとして説明すると、除湿絞り装置１０ａを開き、室内機７ａに対応する室外絞り装置４ａを運転負荷に応じて絞ることにより、室内熱交換器８ａ，９ａは共に冷却部分として作用して冷房を行う。
除湿時の運転を、室内機７ｂの在る室が除湿するものとして説明すると、除湿絞り装置１０ｂを絞り、室内機７ｂに対応する室外絞り装置４ｂを開いた状態にすることにより、室内熱交換器８ｂ，９ｂは除湿絞り装置１０ｂを境にそれぞれ加熱部分と冷却部分として作用して除湿を行う。これらの室内機７ａと室内機７ｂの動作は各々独立して行うことができるため除湿と冷房の同時運転が可能である。
【０００６】
また、特開平７−３２４８４２号公報記載の多室形空気調和機においては、上記に加え、吐出圧力センサー、室外熱交換器センサー、外空気温度センサー、室内熱交換器センサー、電装部センサーなどを制御手段として設けることにより圧縮機や電装品の保護をしながら、快適な除湿を行うものである。
【０００７】
【発明が解決しようとする課題】
特開平５−２７２８４３号公報記載の多室形空気調和機は、除湿と冷房の同時運転を可能としているが、暖房ぎみ除湿時の加熱量を確保する手段としては、室外送風機を止め、圧縮機回転数を上げる方法が記述されており、上記方法では暖房ぎみ除湿と冷房が同時に行なわれた場合、除湿のために室外送風機を止め圧縮機の回転数を上げることによって、室外電装品、圧縮機に負担がかかると同時に冷房能力も損なわれるという問題があった。
【０００８】
逆に、冷房運転のために室外送風機回転数をあげると、除湿運転している室内機の吐出空気温度は低くなり冷房ぎみ除湿になってしまう。このように除湿と冷房の同時運転において、快適な冷房運転を行いながら除湿側の室内吐出空気温度を制御することは十分にできない。また、除湿の複数台運転が行われたとき、各室内における室温と目標室温との差により、それぞれ暖房ぎみ除湿や等温ぎみ除湿や冷房ぎみ除湿が同時に要求される場合が考えられるが、そのような場合の対応については記述されていなかった。
【０００９】
また、特開平７−３２４８４２号公報記載の多室形空気調和機においても、各室内の室温、各室内の要求する運転モード、目標設定温度が異なった場合に関する記述はなく、上記問題点である暖房ぎみ除湿、等温ぎみ除湿、冷房ぎみ除湿、冷房の異種モードの同時運転を満足に行うものではなかった。
【００１０】
従来、暖房ぎみ除湿、等温ぎみ除湿、冷房ぎみ除湿は、室外送風機の回転数および圧縮機の回転数を調整することにより切り換え制御していたため、室外送風機と圧縮機と室外熱交換器を共用する構造を持つ多室形空気調和機においては、各室内の独立した除湿運転はできず、冷房と除湿の同時運転も所定の設定を満足した快適な運転ができるとはいえないという問題があった。
【００１１】
本発明は、上記従来技術の問題点を解決するためになされたもので、その目的とするところは、複数台同時の冷房運転、暖房運転は従来通りに行うことができ、かつ、暖房ぎみ除湿、等温ぎみ除湿、冷房ぎみ除湿、冷房の異種モード同時運転が各室内機ごとに独立して行うことができ、他室の運転状況により自室の運転が制限されることがなく、各室内ごとに要求に応じた運転が可能となる多室形空気調和機の運転方法を提供することにある。
【００１３】
【課題を解決するための手段】
また、上記目的を達成するために、本発明に係る多室形空気調和機の運転方法の構成は、圧縮機、四方弁、室外熱交換器、および複数の室外絞り装置を備えた室外機に、複数台の室内機を接続してなり、前記各室内機の熱交換器が第一熱交換器と第二熱交換器に分割されており、これら第一熱交換器と第二熱交換器との間に除湿絞り機構を備え、除湿運転時に該除湿絞り機構を絞ることによって第一熱交換器を凝縮器、第二熱交換器を蒸発器とし、それぞれ加熱部分と冷却除湿部分として作用させて除湿を行う多室形空気調和機の運転方法において、前記四方弁と前記室外熱交換器との間の配管と、前記室外熱交換器から前記複数台の室内機へ接続する液側配管とを結ぶバイパス管を前記室内機の接続台数分設け、前記複数台の室内機に対応する複数のバイパス管にそれぞれ開閉可能な絞り装置を直列に接続したものとして、前記複数台の室内機のいずれかの室内機が室温を上げながら除湿を行う暖房ぎみ除湿運転を行う場合は、圧縮機から出た高温の冷媒を当該室内機に対応するバイパス管を通して当該室内機の第一室内熱交換器へ流すと共に前記室外熱交換器を通して当該室内機の第一熱交換器に流さないようにし、また、いずれかの室内機が室温を下げながら除湿を行う冷房ぎみ除湿運転を行う場合は、当該室内機に対応するバイパス管には冷媒を流さないと共に前記室外熱交換器を通して当該室内機の第一熱交換器に流すようにしたものである。
【００１４】
なお付記すると、本発明の技術的手段とその働きは次のとおりである。
本発明の多室形空気調和機は、圧縮機と四方弁と室外熱交換器と複数の室外絞り装置を備えた室外機に複数台の室内熱交換器を接続して構成され、上記室内熱交換器が冷却、除湿部分と加熱部分に分離して利用することができる構造となっており、加えて、室外機には室外熱交換器をバイパスする絞り装置を備えたバイパス管を室内熱交換器の台数分設けたものである。
【００１５】
除湿運転時、室温を上げながら除湿を行う要求があった場合、前記バイパス管から高温の冷媒を室内熱交換器へ送り、加熱部分で放熱を行い、冷却、除湿部分で湿度を取り、暖房ぎみ除湿を行うものである。
室外熱交換器をバイパスした除湿運転は冷媒が室外熱交換器を通っていないため、室外送風機の送風量に関係なく暖房ぎみ除湿が可能である。この暖房ぎみ除湿との組み合わせにより、従来困難であった暖房ぎみ除湿と等温ぎみ除湿、暖房ぎみ除湿と冷房ぎみ除湿、暖房ぎみ除湿と冷房の同時運転を可能とするものである。
【００１６】
さらに、上記室外熱交換器をバイパスする除湿運転をしながら、対応するバイパス管に設けられた絞り装置の開度を中程度にすることにより吐出空気温度を若干下げ、等温ぎみ除湿を行い、等温ぎみ除湿と冷房の組み合わせ運転も可能とするものである。
このように冷房運転と各除湿の全ての組み合わせにおいて同時運転を可能とするものである。
【００１７】
【発明の実施の形態】
以下、本発明の実施の形態を図１を参照して説明する。
図１は、本発明の一実施形態を示す多室形空気調和機の冷凍サイクル系統図である。
本実施形態における多室形空気調和機は、室外機１３に、複数台（図１では２台）の室内機７ａ，７ｂを冷媒配管で接続してなるものである。
【００１８】
室外機１３において、１は圧縮機、２は、冷房や暖房等の運転状態を切り換えるため冷媒の流れ方向を替える四方弁、３は室外熱交換器、４ａ，４ｂは、室内機７ａ，７ｂに対応して設けられた複数（図１では２個）の室外絞り装置である。これら室外絞り装置４ａ，４ｂは、室内機７ａ，７ｂに接続する液側配管１４ａ，１４ｂにそれぞれ具備されている。
また、５ａ，５ｂは、除湿運転時、室外熱交換器３をバイパスするバイパス管である。このバイパス管５ａ、５ｂは、四方弁２と室外熱交換器３との間の配管１５と、室外熱交換器３から室内機７ａ，７ｂへ接続する液側配管１４ａ，１４ｂとを結ぶものである。６ａ，６ｂは、前記バイパス管５ａ，５ｂに具備され、該バイパス管５ａ，５ｂの開閉または流量の制御を行う絞り装置である。１２は室外送風機を示す。
【００１９】
室内機７ａにおいて、８ａ，９ａは二分割された第一，第二の室内熱交換器、１０ａは、第一，第二の室内熱交換器８ａ，９ａ間にこれらと直列に設けられ除湿運転時に減圧を行う除湿絞り機構、１１ａは室内送風機を示している。
同様に室内機７ｂについて、８ｂ，９ｂは二分割された第一，第二の室内熱交換器、１０ｂは、第一，第二の室内熱交換器８ｂ，９ｂ間にこれらと直列に設けられ除湿運転時に減圧を行う除湿絞り機構、１１ｂは室内送風機を示している。また、圧縮機１は能力制御が可能で、室外送風機１２および室内送風機１１ａ，１１ｂは能力制御すなわち、送風量制御が可能に構成されている。
【００２０】
このような多室形空気調和機の冷凍サイクル構成における様々な運転形態について説明する。
〔実施の形態  １〕
まず、除湿運転時について図３を参照して説明する。
図３は、暖房ぎみ除湿運転時の冷媒の流れを示す系統図で、図３は、図１の系統図に弁の開閉、冷媒の流れ（実線矢印）を示したものである。
除湿運転時は、四方弁２を冷房時と同じく、圧縮機１、四方弁２、室外熱交換器３の順に冷媒が流れるよう切り換える。
除湿運転時、室内制御装置から室温を上げながら除湿する要求があったとき、室内機７ａの在る室が前記要求に応える暖房ぎみ除湿するものとして説明すると、図３に示すごとく、室内機７ａに接続する（対応する）バイパス管５ａの絞り装置６ａを開き、室外絞り装置４ａを全閉、室内機７ａの除湿絞り機構１０ａを絞った状態にする。
【００２１】
圧縮機１で圧縮された高温高圧のガス冷媒は、四方弁２を経たのち配管１５からバイパス管５ａを流れ、室外熱交換器３をバイパスして、放熱しないまま室内機７ａへ入る。室内機７ａでは、第一の熱交換器８ａで凝縮、除湿絞り機構１０ａで減圧、第二の熱交換器９ａで蒸発し、低温低圧のガス冷媒となり圧縮機１へ戻る。同時に、室内送風機１１ａを回転させ空気を強制対流させることにより室内空気は第二の熱交換器９ａで冷却，除湿され、第一の熱交換器８ａにより暖められ再び室内へと送られる。このとき第一の熱交換器８ａの放熱量が多いため、室内の空気は暖められながら除湿され、要求を満足することができる。
【００２２】
ここで、絞り装置６ａの開度、あるいは圧縮機１の回転数を変化させることにより、室内吐出空気温度の調整が可能である。上記の室外熱交換器３をバイパスした除湿運転は、冷媒が室外熱交換器３を通っていないため、室外送風機１２の送風量に関係なく暖房ぎみ除湿が可能である。したがって、他の室内で冷房運転や冷房ぎみ除湿、等温ぎみ除湿を行っても、互いに影響を受けることはなく、独立して運転することができる。なお、図３では、室内機７ｂ側の弁の開閉、冷媒の流れの図示を省略した。
【００２３】
〔実施の形態  ２〕
次の実施形態は、特に弁の開閉、冷媒の流れの図示をしないで、図１を参照して説明する。
各室内から室温を変えない除湿の要求があった場合、室内機７ａの在る室が前記要求に応える等温除湿を行うものとして説明すると、室内機７ａに対応するバイパス管５ａの絞り装置６ａを全閉、室外絞り装置４ａを開いた状態にし、室外送風機１２は低速運転させ、室内機７ａの除湿絞り機構１０ａを絞った状態にする。
【００２４】
圧縮機１で圧縮された高温高圧のガス冷媒は、四方弁２を経たのち配管１５から室外熱交換器３へ流れ、室外熱交換器３で少し放熱しながら液側配管１４ａを経て室内機７ａへ入る。室内機７ａでは、第一の熱交換器８ａで凝縮、除湿絞り機構１０ａで減圧、第二の熱交換器９ａでは蒸発し、低温低圧のガス冷媒となって圧縮機１へ戻る。同時に、室内送風機１１ａを回転させ空気を強制対流させることにより、室内空気は第二の熱交換器９ａで冷却，除湿され、第一の熱交換器８ａにより暖められ再び室内へと送られる。こうして室内の空気は温度を一定のまま除湿され、要求を満足することができる。
【００２５】
また、室外送風機１２の回転数、あるいは圧縮機１の回転数を変化させることにより室内吐出空気温度の調整が可能である。室内吐出空気温度を上げるときは室外送風機回転数を下げ、室内吐出空気温度を下げるときは室外送風機回転数を上げるようにすれば良い。
すなわち、室外送風機１２の回転数を上げ、室内吐出空気温度を下げるよう制御すれば、室温を下げながら除湿する冷房ぎみ除湿運転が可能である。
【００２６】
各室内機７の制御装置は、室温検出手段と目標室温設定手段を備え、実際の室温と目標とする室温を比較し、吐出空気温度を室温より高めにするか、同じくするか、低めにするかを決定し室外制御装置に要求を送るようにする。各室内から要求される条件がそれぞれ異なる場合、室外絞り装置４の開度を各室内ごとに調整し、室内からの要求に応じた吐出空気温度になるように制御する。
【００２７】
〔実施の形態  ３〕
除湿運転時に、ある室内機では室温を上げながら除湿し、他の室内機では室温を保ちながら除湿を行う要求があったとき、室温を上げる方を室内機７ａ、保つ方を室内機７ｂが行うものとして、図４を参照して説明する。
図４は、一方の室内機では暖房ぎみ除湿、他の室内機では等温ぎみ除湿運転を行う冷媒の流れを示す系統図で、図４は、図１の系統図に弁の開閉、冷媒の流れを示したものである。
【００２８】
室内機７ａ側は、対応する絞り装置６ａを開き、室外絞り装置４ａを全閉にし、除湿絞り機構１０ａを絞った状態にする。一方、室内機７ｂ側は、対応する絞り装置６ｂを全閉、室外絞り装置４ｂを開いた状態とし、室外送風機１２は低速運転させ、除湿絞り機構１０ｂを絞った状態にする。
図４では、室内機７ａ側の冷媒の流れを実線矢印、室内機７ｂ側の冷媒の流れを破線矢印で示す。
【００２９】
室内機７ａ側については、冷媒は室外熱交換器３をバイパスし、放熱しないまま室内機７ａへと流れ、第一の熱交換器８ａで凝縮、除湿絞り装置１０ａで減圧、第二の熱交換器９ａでは蒸発し圧縮機１へ戻る。同時に、室内送風機１１ａを回転させ空気を強制対流させることにより、室内空気は第二の熱交換器９ａで冷却，除湿され、第一の熱交換器８ａにより暖められ再び室内へと送られる。このとき、第一の熱交換器８ａの放熱量が多いため室内の空気は暖められながら除湿される。さらに、圧縮機１の回転数や絞り装置６ａの開度を調節することにより吐出空気温度を制御することができる。
【００３０】
室内機７ｂ側については、冷媒は室外熱交換器３で少し放熱しながら室内機７ｂへと流れ、第一の熱交換器８ｂで凝縮、除湿絞り装置１０ｂで減圧、第二の熱交換器９ｂでは蒸発し圧縮機１へ戻る。同時に、室内送風機１１ｂを回転させ空気を強制対流させることにより、室内空気は第二の熱交換器９ｂで冷却，除湿され、第一の熱交換器８ｂにより暖められ再び室内へと送られる。こうして室内の空気は温度を一定のまま等温ぎみ除湿される。また、室内機７ｂでは室外熱交換器３で少し放熱した後の冷媒が流れており、室外送風機１２の回転数を変化させ室外熱交換器３での放熱量を変えることによって室内吐出温度を調節することがができる。
【００３１】
室内吐出空気温度を上げるときは室外送風機回転数を下げ、室内吐出空気温度を下げるときは室外送風機回転数を上げるようにすれば良い。このとき、室温を上げる除湿を行っている室内機７ａ側では、冷媒が室外熱交換器３を通っていないため室外送風機１２の送風量に関係なく暖房ぎみ除湿を行うことができる。したがって、室外送風機１２は室内機７ｂ側の要求通りに回転させることができるため、暖房ぎみ除湿と、等温ぎみ除湿を同時に独立して運転することができる。
【００３２】
〔実施の形態  ４〕
以下の各実施形態は、特に弁の開閉、冷媒の流れの図示をしないで、図１を参照して説明する。
除湿運転時に、ある室内機では室温を上げながら除湿し、他の室内機では冷房を行う要求があったとき、室温を上げる方を室内機７ａ、冷房を行う方を室内機７ｂが行うものとして説明する。
室内機７ａ側は、対応する絞り装置６ａを開き、室外絞り装置４ａを全閉にし、除湿絞り機構１０ａを絞った状態にする。一方、室内機７ｂ側は、対応する絞り装置６ｂを全閉、室外絞り装置４ｂを絞り、除湿絞り機構１０ｂは開いた状態にする。
【００３３】
室内機７ａ側については、冷媒は室外熱交換器３をバイパスし、放熱しないまま室内機７ａへと流れ、第一の熱交換器８ａで凝縮、除湿絞り装置１０ａで減圧、第二の熱交換器９ａでは蒸発し圧縮機１へ戻る。同時に、室内送風機１１ａを回転させ空気を強制対流させることにより、室内空気は第二の熱交換器９ａで冷却，除湿され、第一の熱交換器８ａにより暖められ再び室内へと送られる。このとき、第一熱交換器８ａの放熱量が多いため、室内の空気は暖められながら除湿される。
また、圧縮機１の回転数、あるいは絞り装置６ａの開度を調節し、吐出空気温度を制御することができる。
【００３４】
室内機７ｂ側については、冷媒は室外熱交換器３で凝縮、室外絞り装置４ｂにて減圧し、室内機７ｂへと流れ、第一の熱交換器８ｂおよび第二の熱交換器９ｂで蒸発し圧縮機１へ戻る。同時に、室内送風機１１ｂを回転させ空気を強制対流させることにより、室内空気は室内熱交換器８ｂ，９ｂで冷却され、再び室内へと送られる。すなわち、室内の空気は冷房される。このとき、室温を上げる除湿を行っている室内機７ａ側では冷媒が室外熱交換器３を通っていないため、室外送風機１２の送風量に関係なく暖房ぎみ除湿を行うことができる。したがって、室外送風機１２は冷房を行っている室内機７ｂ側の要求通りに回転させることができるため室内機７ｂは冷房能力を確保でき、電装品、圧縮機へ負担をかけることなく運転できる。このようにして暖房ぎみ除湿と冷房を同時に独立して運転することができる。
【００３５】
〔実施の形態  ５〕
除湿運転時に、ある室内機では室温を保ちながら除湿し、他の室内機では冷房を行う要求があったとき、室温を保つ方を室内機７ａ、冷房を行う方を室内機７ｂとして説明する。
室内機７ａ側は、対応する絞り装置６ａを開き、室外絞り装置４ａを全閉にし、除湿絞り機構１０ａを絞った状態にする。一方、室内機７ｂ側は、対応する絞り装置６ｂを全閉、室外絞り装置４ｂを絞り、除湿絞り機構１０ｂは開いた状態にする。
【００３６】
室内機７ａ側については、冷媒は室外熱交換器３をバイパスし、放熱しないまま室内機７ａへと流れ、第一の熱交換器８ａで凝縮、除湿絞り機構１０ａで減圧、第二の熱交換器９ａでは蒸発し圧縮機１へ戻る。同時に、室内送風機１１ａを回転させ空気を強制対流させることにより、室内空気は第二の熱交換器９ａで冷却，除湿され、第一の熱交換器８ａにより暖められ再び室内へと送られる。このとき、絞り装置６ａは絞りぎみにし、第一の熱交換器８ａの放熱量を落とし、室内機７ａが室温を保ちながら除湿するように吐出空気温度を調節する。こうして、室内温度を一定に保つ等温ぎみ除湿を行うことができる。
【００３７】
室内機７ｂ側については、冷媒は室外熱交換器３で凝縮、室外絞り装置４ｂにて減圧し、室内機７ｂへと流れ、第一の熱交換器８ｂおよび第二の熱交換器９ｂで蒸発し圧縮機１へ戻る。同時に、室内送風機１１ｂを回転させ空気を強制対流させることにより、室内空気は室内熱交換器８ｂ，９ｂで冷却、除湿され、再び室内へと送られる。すなわち、室内の空気は冷房される。このとき、等温ぎみ除湿を行っている室内機７ａでは冷媒が室外熱交換器３を通っていないため、室外送風機１２の送風量に関係なく等温ぎみ除湿を行うことができる。したがって、室外送風機１２は冷房を行っている室内機７ｂ側の要求通りに回転させることができるため、冷房能力を確保でき、電装品、圧縮機へ負担をかけることなく運転できる。このようにして等温ぎみ除湿と、冷房を同時に独立して運転することができる。
【００３８】
このように、本発明の実施形態によれば、多室形空気調和機において、冷房、暖房ぎみ除湿、等温ぎみ除湿、冷房ぎみ除湿を同時にお互いの性能に影響することなく独立して運転することが可能となる。
もちろん、本発明は冷暖房兼用方式に限らず、冷房専用の多室形空気調和機にも適用可能であることは言うまでもない。
【００３９】
〔実施の形態  ６〕
本発明による多室形空気調和機は、冷房の複数同時運転、あるいは暖房の複数同時運転も従来どおり行うことができる。
室内機７ａ，７ｂともに、冷房運転を行う要求があったとき、四方弁２は、圧縮機１、四方弁２、室外熱交換器３の順に冷媒が流れるよう切り換える。
室内機７ａ側は、対応する絞り装置６ａを全閉、室外絞り装置４ａを絞り、除湿絞り機構１０ａは開いた状態にする。
【００４０】
室内機７ａ側については、冷媒は、対応する室外熱交換器３で凝縮、室外絞り装置４ａにて減圧し、室内機７ａへと流れ、第一の熱交換器８ａおよび第二の熱交換器９ａで蒸発し圧縮機１へ戻る。同時に、室内送風機１１ａを回転させ、空気を強制対流させることにより、室内空気は室内熱交換器８ａ，９ａで冷却，除湿され、再び室内へと送られる。すなわち、室内の空気は冷房される。
室内機７ｂ側でも、同様の動作が行われ、冷房同時運転が実行される。
【００４１】
〔実施の形態  ７〕
室内機７ａ，７ｂともに暖房運転を行う要求があったとき、四方弁２は、圧縮機１、四方弁２、第二熱交換器９ａまたは９ｂの順に冷媒が流れるよう切り換える。
室内機７ａ側は、対応する絞り装置６ａを全閉、室外絞り装置４ａを絞り、除湿絞り機構１０ａは開いた状態にする。
【００４２】
室内機７ａ側については、冷媒は、室内機７ａへと流れ、室内熱交換器８ａ，９ａで凝縮、室外絞り装置４ａにて減圧、室外熱交換器３で蒸発し、圧縮機１へ戻る。同時に、室内送風機１１ａを回転させ空気を強制対流させることにより、室内空気は室内熱交換器８ａ，９ａで加熱され、再び室内へと送られる。すなわち、室内の空気は暖房される。
室内機７ｂ側でも同様の動作が行われ、暖房同時運転が実行される。
【００４３】
今まで室内機に除湿絞り機構を設け、除湿時には室内熱交換器を除湿部分と加熱部分に分割して作用させ、一度冷却，除湿した空気をサイクル自身によって再熱し、肌寒くない温度にしてから利用するサイクル除湿方式の室内機について述べてきたが、従来から別方式として室内機に除湿絞り機構は持たず、室内機送風量や圧縮機回転数を落として弱冷房を行うことによって除湿を行う弱冷房方式のものがある。この方式は冷却，除湿した空気を再熱する手段を持たないため室温を下げてしまい、肌寒くなり快適性が悪いという欠点がある。また、再熱手段としてヒーターを備えたものもあるが、消費電力が高いという欠点がある。しかし、除湿方式としては今後両方式とも存在し続けると考えられる。
【００４４】
〔実施の形態  ８〕
本発明の多室形空気調和機の室外機には、後者の弱冷房方式の室内機を混合させて接続することが可能である。実施形態の一例を説明すると、室内側制御装置に除湿方式、すなわち、サイクル除湿方式か弱冷房方式かをあらかじめ記憶させておき、室外機に対し除湿方式を送信するものとし、室外制御装置は室内から弱冷房方式の信号を受信したとき、弱冷房方式の室内機が接続されたと判断し、対応するバイパス管の絞り装置が開くことを禁止し、除湿時は弱冷房除湿を行うよう制御すれば良い。こうして本発明の室外機に対し、サイクル除湿方式の室内機と弱冷房方式の室内機を混合して接続することができる。
【００４５】
【発明の効果】
以上詳細に説明したように、本発明によれば、複数台同時の冷房運転、暖房運転は従来通りに行うことができ、かつ、暖房ぎみ除湿、等温ぎみ除湿、冷房ぎみ除湿、冷房の異種モード同時運転が各室内機ごとに独立して行うことができ、他室の運転状況により自室の運転が制限されることがなく、各室内ごとに要求に応じた運転が可能となる多室形空気調和機の運転方法を提供することができる。
【図面の簡単な説明】
【図１】本発明の一実施形態を示す多室形空気調和機の冷凍サイクル系統図である。
【図２】従来の多室形空気調和機の冷凍サイクル系統図である。
【図３】暖房ぎみ除湿運転時の冷媒の流れを示す系統図である。
【図４】一方の室内機では暖房ぎみ除湿、他の室内機では等温ぎみ除湿運転を行う冷媒の流れを示す系統図である。
【符号の説明】
１…圧縮機、２…四方弁、３…室外熱交換器、１２…室外送風機、１３…室外機、４ａ，４ｂ…室外絞り装置、５ａ，５ｂ…バイパス管、６ａ，６ｂ…絞り装置、７ａ，７ｂ…室内機、８ａ，８ｂ…第一の室内熱交換器、９ａ，９ｂ…第二の室内熱交換器、１０ａ，１０ｂ…除湿絞り装置、１１ａ，１１ｂ…室内送風機。
【図１】
0003675609.tif 000002
【図２】
0003675609.tif 000003
【図３】
0003675609.tif 000004
【図４】
0003675609.tif 000005